(57)【要約】      （修正有）【課題】非使用時に圧縮により収納スペースを縮小できる工具収納装置を提供する。【解決手段】底部１０、第１壁部２０、第２壁部３０、一対の側壁部４０及び補強部材５０を備え、該底部はホイール、軟らかい底面１２及び移動式支持プレート１３を有し、該移動式支持プレートはカバー位置とオープン位置を有し、該第１壁部は主構造部、レバー及び第１上縁を有し、該主構造部は該底部のホイールと連結され、該レバーは自由に伸縮可能な構造であり、該第２壁部は第２上縁を有し、該側壁部は該第１壁部と第２壁部と夫々連結されると共に、側部上縁と挿入部を有し、該補強部材は該側壁部の挿入部へ挿入可能な強化構造を有し、該第１壁部、第２壁部及び側壁部は変形可能な軟質構造であり、該移動式支持プレートがカバー位置からオープン位置に移動すると共に、該補強部材を挿入部から取出した後、第１壁部、第２壁部及び側壁部を圧縮して全体の体積を縮めることができる。【選択図】図１
0003144872.tif 000002
【実用新案登録請求の範囲】
【請求項１】
底部と、第１壁部と、第２壁部と、一対の側壁部と、補強部材とを備える圧縮可能な工具収納装置であって、
該底部は少なくとも二つのホイールと、軟らかい底面と、移動式支持プレートとを有し、該移動式支持プレートはカバー位置とオープン位置を有し、
該第１壁部は、主構造部と、レバーと、第１上縁とを有し、該主構造部は、該底部のホイールと連結され、該レバーは自由に伸縮可能な構造であり、
該第２壁部は第２上縁を有し、
該側壁部は、該第１壁部と第２壁部と夫々連結されると共に、側部上縁と、該側部上縁と隣接する挿入部とを有し、
該補強部材は、該側壁部の挿入部へ挿入可能な強化構造を有し、
該第１壁部、第２壁部及び側壁部は、変形可能な軟質構造であり、該移動式支持プレートがカバー位置からオープン位置に移動すると共に、該補強部材を挿入部から取り出した後、該第１壁部、第２壁部及び側壁部を圧縮して全体の体積を縮めることができることを特徴とする、圧縮可能な工具収納装置。
【請求項２】
前記移動式支持プレートは、夫々該移動式支持プレートと軟らかい底面に設けられる第１雄固定部材と第１雌固定部材を有することにより、該移動式支持プレートを該軟らかい底面に一時的に固定することを特徴とする、請求項１に記載の圧縮可能な工具収納装置。
【請求項３】
前記第１上縁、第２上縁及び側部上縁を組み合わせることにより、該第１壁部から該第２壁部へ下向く開口が形成され、該開口にカバー部が設けられることを特徴とする、請求項１に記載の圧縮可能な工具収納装置。
【請求項４】
前記第２壁部は、更に該第２上縁に接近する第２壁部に補助固定部が設けられ、該補助固定部には、該補強部材を挿入するための固定チャンネルが形成されることを特徴とする、請求項１に記載の圧縮可能な工具収納装置。
【請求項５】
前記挿入部は、挿入チャンネルと、第２雄固定部材と第２雌固定部材とを有し、該挿入チャンネルは、該補強部材を挿入するために用いられ、又、該第２雄固定部材と該第２雌固定部材は、該挿入チャンネルを閉止するために用いられることを特徴とする、請求項１に記載の圧縮可能な工具収納装置。
【考案の詳細な説明】
【技術分野】
【０００１】
本考案は、工具収納装置に係り、特に収納容量が大きく、補強部材が容易に取替えでき、しかも非使用時に圧縮により収納空間を縮めることができる圧縮可能な工具収納装置に関するものである。
【背景技術】
【０００２】
従来の工具収納装置は２種類あり、１つは軟式の布袋であり、もう一つは硬い殻を有する工具袋である。この両種類の収納装置は二つ共に工具やツールを収納することができる。
【０００３】
一方、前記軟式の布袋である収納装置を使用する場合、布袋を確実に展開することが難しいため、工具やツールが互いに衝撃することにより損害する恐れがある。他方、硬い殻を有する工具袋である収納装置は、非使用時に、容積を縮小することができないため、収納時に不便が生じ、さらに大型工具袋である場合、スペースが必要となるため、運送時に貨物空間の確保が厳しくなるという問題があった。
【考案の開示】
【考案が解決しようとする課題】
【０００４】
そこで、本考案の主な目的は、使用時に収納スペースを確実に確保できると共に、非使用時に圧縮より収納スペースを縮小できる圧縮可能な工具収納装置を提供することにある。
【０００５】
本考案の前記に次ぐ目的は、硬質補強部材を容易に取り替えることができる圧縮可能な工具収納装置を提供することにある。
【０００６】
本考案の前記に次ぐ目的は、収納容量が大きく、且つ重量が軽い圧縮可能な工具収納装置を提供することにある。
【０００７】
本考案の前記に次ぐ目的は、引っ張ることにより、軽く移動できる圧縮可能な工具収納装置を提供することにある。
【課題を解決するための手段】
【０００８】
本願の請求項１の考案は、底部と、第１壁部と、第２壁部と、一対の側壁部と、補強部材とを備える圧縮可能な工具収納装置であって、該底部は少なくとも二つのホイールと、軟らかい底面と、移動式支持プレートとを有し、該移動式支持プレートはカバー位置とオープン位置を有し、該第１壁部は、主構造部と、レバーと、第１上縁とを有し、該主構造部は、該底部のホイールと連結され、該レバーは自由に伸縮可能な構造であり、該第２壁部は第２上縁を有し、該側壁部は、該第１壁部と第２壁部と夫々連結されると共に、側部上縁と、該側部上縁と隣接する挿入部とを有し、該補強部材は、該側壁部の挿入部へ挿入可能な強化構造を有し、該第１壁部、第２壁部及び側壁部は、変形可能な軟質構造であり、該移動式支持プレートがカバー位置からオープン位置に移動すると共に、該補強部材を挿入部から取り出した後、該第１壁部、第２壁部及び側壁部を圧縮して全体の体積を縮めることができることを特徴とする、圧縮可能な工具収納装置である。
【０００９】
本願の請求項２の考案は、前記移動式支持プレートは、夫々該移動式支持プレートと軟らかい底面に設けられる第１雄固定部材と第１雌固定部材を有することにより、該移動式支持プレートを該軟らかい底面に一時的に固定することを特徴とする、請求項１に記載の圧縮可能な工具収納装置である。
【００１０】
本願の請求項３の考案は、前記第１上縁、第２上縁及び側部上縁を組み合わせることにより、該第１壁部から該第２壁部へ下向く開口が形成され、該開口にカバー部が設けられることを特徴とする、請求項１に記載の圧縮可能な工具収納装置である。
【００１１】
本願の請求項４の考案は、前記第２壁部は、更に該第２上縁に接近する第２壁部に補助固定部が設けられ、該補助固定部には、該補強部材を挿入するための固定チャンネルが形成されることを特徴とする、請求項１に記載の圧縮可能な工具収納装置である。
【００１２】
本願の請求項５の考案は、前記挿入部は、挿入チャンネルと、第２雄固定部材と第２雌固定部材とを有し、該挿入チャンネルは、該補強部材を挿入するために用いられ、又、該第２雄固定部材と該第２雌固定部材は、該挿入チャンネルを閉止するために用いられることを特徴とする、請求項１に記載の圧縮可能な工具収納装置である。
【考案の効果】
【００１３】
本考案は上記の課題を解決するものであり、以下に示すような効果を達成できる。
１．工具収納装置自体を安定的に展開するだけではなく、軟らかくて圧縮することもできる。即ち、移動式支持プレートがカバー位置に位置すると共に、補強部材が挿入部に位置する場合、本考案の工具収納装置は工具やツールを安定的に収納することができる一方、該移動式支持プレートがオープン位置に位置すると共に、補強部材を挿入部から取り出した場合、本考案の工具収納装置を圧縮して全体の体積を縮めることができる。
【００１４】
２．該補強部材が取り替えやすい。即ち、本考案の補強部材は挿入部に自由に挿入し、又は取り出すことができる。このため、該補強部材が損傷を有する際、簡単に更新することができる。
【００１５】
３．収納容量が大きく、且つ重量が小さい。本考案の収納スペースは、軟質材料により展開した状態で形成することができるため、収納容量が大きく、且つ重量が小さい特徴を有する。
【考案を実施するための最良の形態】
【００１６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１７】
図１、図２、図３Ｃ及び図４Ａに示すように、本考案に係わる圧縮可能な工具収納装置は、底部（１０）と、第１壁部（２０）と、第２壁部（３０）と、一対の側壁部（４０）と、補強部材（５０）とを備え、該底部（１０）は少なくとも二つのホイール（１１）と、軟らかい底面（１２）と、移動式支持プレート（１３）とを有し、該移動式支持プレート（１３）はカバー位置（Ｐ１）とオープン位置（Ｐ２）を有する（図４Ｂを参照する）。
【００１８】
該第１壁部（２０）は、主構造部（２１）と、レバー（２２）と、第１上縁（２３）とを有する。該主構造部（２１）は、該底部（１０）のホイール（１１）と連結され、該レバー（２２）は自由に伸縮可能な構造である。該第２壁部（３０）は第２上縁（３１）を有する。該側壁部（４０）は、該第１壁部（２０）と第２壁部（３０）と夫々連結されると共に、側部上縁（４１）と挿入部（４２）を有する。該補強部材（５０）は、該側壁部（４０）の挿入部（４２）へ挿入可能な強化構造を有する。
【００１９】
前記第１壁部（２０）、第２壁部（３０）及び側壁部（４０）は、変形可能な軟質構造であり、該移動式支持プレート（１３）がカバー位置（Ｐ１）からオープン位置（Ｐ２）に移動すると共に、該補強部材（５０）を挿入部（４２）から取り出した後、該第１壁部（２０）、第２壁部（３０）及び側壁部（４０）を圧縮して全体の体積を縮めることができる。
【００２０】
前記移動式支持プレート（１３）は、夫々該移動式支持プレート（１３）と軟らかい底面（１２）に設けられる第１雄固定部材（１３１）と第１雌固定部材（１３２）を有する（図５Ｂを参照する）ことにより、該移動式支持プレート（１３）を該軟らかい底面（１２）に一時的に固定する。
【００２１】
前記第１上縁（２３）、第２上縁（３１）及び側部上縁（４１）を組み合わせることにより、該第１壁部（２０）から該第２壁部（３０）へ下向く開口が形成され、該開口に需要に応じてカバー部（６０）が設けられる。
【００２２】
又、前記第２壁部（３０）は、更に該第２上縁（３１）に接近する第２壁部（３０）に補助固定部（３２）が設けられ、該補助固定部（３２）は、該補強部材（５０）を挿入するための固定チャンネル（３２１）が形成される。
【００２３】
前記挿入部（４２）は、挿入チャンネル（４２１）と、第２雄固定部材（４２２）と第２雌固定部材（４２３）とを有し、該挿入チャンネル（４２１）は、該補強部材（５０）を挿入するために用いられ、又、該、第２雄固定部材（４２２）と第２雌固定部材（４２３）は、該挿入チャンネル（４２１）を閉止するために用いられる。
【００２４】
図３Ａに示すように、該補強部材（５０）が夫々該補助固定部（３２）と挿入部（４２）に位置し、且つ該移動式支持プレート（１３）が該軟らかい底面（１２）のカバー位置（Ｐ１）に位置する（図４Ａ及び図５Ａを参照する）と、本考案の圧縮可能な工具収納装置は、工具やツールを収納可能な状態になる。
【００２５】
一方、図３Ａ、図３Ｂ及び図３Ｃに示すように、前記補強部材（５０）を該挿入部（４２）から取り出した後、且つ該移動式支持プレート（１３）が該軟らかい底面（１２）のカバー位置（Ｐ１）からオープン位置（Ｐ２）に移動する（図４Ｂ及び図５Ｂを参照する）と、該第１壁部（２０）、第２壁部（３０）及び側壁部（４０）を圧縮して全体の体積を縮めることができる（図２を参照する）。
【００２６】
なお、上記実施例は、本考案の好適な実施の形態を示したものにすぎず、これらは決して本考案を限定するものではない。本考案の主旨と領域を脱しない範囲内で各種の変更や修正を加えることができる。従って、本考案の実用新案登録請求の範囲は、このような変更や修正を含めて広く解釈されるべきである。
【図面の簡単な説明】
【００２７】
【図１】本考案に係る圧縮可能な工具収納装置の展開状態を示す斜視図
【図２】本考案に係る圧縮可能な工具収納装置の圧縮状態を示す斜視図
【図３Ａ】本考案の補強部材を取り出す前の状態を示す説明図
【図３Ｂ】本考案の補強部材を取り出している状態を示す説明図
【図３Ｃ】本考案の補強部材を取り出した状態を示す説明図
【図４Ａ】本考案の移動式支持プレートがカバー位置に位置する状態を示す断面図
【図４Ｂ】本考案の移動式支持プレートがオープン位置に位置する状態を示す断面図
【図５Ａ】本考案の移動式支持プレートがカバー位置に位置する状態を示す平面図
【図５Ｂ】本考案の移動式支持プレートがオープン位置に位置する状態を示す平面図
【符号の説明】
【００２８】
１０        底部
１１        ホイール
１２        軟らかい底面
１３        移動式支持プレート
１３１      第１雄固定部材
１３２      第１雌固定部材
２０        第１壁部
２１        主構造部
２２        レバー
２３        第１上縁
３０        第２壁部
３１        第２上縁
３２        補助固定部
３２１      固定チャンネル
４０        側壁部
４１        側部上縁
４２        挿入部
４２１      挿入チャンネル
４２２      第２雄固定部材
４２３      第２雌固定部材
５０        補強部材
６０        カバー部
Ｐ１        カバー位置
Ｐ２        オープン位置
【図１】
0003144872.tif 000003
【図２】
0003144872.tif 000004
【図３Ａ】
0003144872.tif 000005
【図３Ｂ】
0003144872.tif 000006
【図３Ｃ】
0003144872.tif 000007
【図４Ａ】
0003144872.tif 000008
【図４Ｂ】
0003144872.tif 000009
【図５Ａ】
0003144872.tif 000010
【図５Ｂ】
0003144872.tif 000011